(57)【要約】      （修正有）【課題】フイルムから読み取った画像ファイルの管理が容易な画像管理プログラムを提供する。【解決手段】フォルダを指定し、グループ分けの指示を行うと、そのフォルダに格納されている各画像ファイルに付されたフィルムＩＤの情報に基づき同じフイルムＩＤの情報を有するグループごとに分類される。そして、その分類されたグループごとに画像ファイルがコマ番号順に表示出力される。これにより、同じフィルムから読み取った画像ファイルの区別が明確になる。【選択図】      図１０
2005332260.tif 000002
【特許請求の範囲】
【請求項１】
フィルムから読み取った順にコマの順番を示すコマ番号が付されるとともに、読み取ったフィルムを識別するフィルムＩＤの情報が付加された画像ファイルを管理する画像管理プログラムであって、
管理対象とする画像ファイルが格納されたフォルダの指定を受け付ける機能と、
指定されたフォルダに格納されている画像ファイルのグループ分けの指示を受け付ける機能と、
画像ファイルに付加されているフィルムＩＤの情報に基づき指定されたフォルダに格納されている画像ファイルを同じフイルムＩＤの情報を有するグループごとに分類する機能と、
指定されたフォルダに格納されている画像ファイルを分類されたグループごとに区別してコマ番号順に表示出力する機能と、
をコンピュータに実現させることを特徴とする画像管理プログラム。
【請求項２】
前記画像ファイルには、コマ番号が撮影順に付されている場合、コマ順確定情報が付加され、該コマ順確定情報の有無に応じて、コマ番号が撮影順に付されているグループの画像ファイルと、コマ番号が撮影順に付されていないグループの画像ファイルとを区別して表示出力する機能をコンピュータに実現させることを特徴とする請求項１に記載の画像管理プログラム。
【請求項３】
処理対象とする画像ファイルの属するグループの指定を受ける機能と、
指定されたグループに属する画像ファイルのコマ番号の書き換えの指示を受け付ける機能と、
指定されたグループに属する画像ファイルのコマの順番が逆になるようにコマ番号を書き換える機能と、
をコンピュータに実現させることを特徴とする請求項１又は２に記載の画像管理プログラム。
【請求項４】
指定されたグループに属する画像ファイルに対して指定された撮影日時の情報を付加する機能を前記コンピュータに実現させることを特徴とする請求項１、２又は３に記載の画像管理プログラム。
【請求項５】
コマ番号の順に指定された差分だけずらして撮影日時の情報を付加する機能を前記コンピュータに実現させることを特徴とする請求項４に記載の画像管理プログラム。
【発明の詳細な説明】
【技術分野】
【０００１】
本発明は画像管理プログラムに係り、特にフイルムから読み取った画像データを管理する画像管理プログラムに関する。
【背景技術】
【０００２】
ＤＰＥ店などでは、フイルムで撮った写真をデジタル化し、ＣＤ−Ｒ等の記憶メディアに記録するサービスが行なわれている。通常、このサービスではフイルムの先頭コマから順に画像を読み取ってデジタル化し、ＣＤ−Ｒに書き込んでゆく。
【０００３】
ところで、フイルムを用いたカメラの撮影方式には、フイルムを１コマずつスプールに巻き取りながら撮影するノーマルワインド方式と、フイルムを装填した時点で一旦スプールに巻き取り、１コマずつパトローネに巻き戻しながら撮影するプレワインド方式とがあり、プレワインド方式のカメラで撮影されたフイルムに対して上記の書き込みサービスを利用すると、ＣＤ−Ｒに書き込まれる画像の順番が撮影した順番の逆になってしまうという問題があった。
【０００４】
そこで、特許文献１では、ＡＰＳフイルムの磁気記録層に記録されているワインド情報を元に撮影方向を判断し、撮影順に画像を読み取って、ＣＤ−Ｒに書き込むことが提案されている。
【０００５】
また、特許文献２では、ＡＰＳフイルムの磁気記録層に記録されたコマ番号から撮影方向を判断し、撮影順に再生することが提案されている。
【特許文献１】特開平８−２８６２９１号公報
【特許文献２】特開平７−３０７８９４号公報
【発明の開示】
【発明が解決しようとする課題】
【０００６】
しかしながら、上記特許文献１、２の方法は、磁気記録層を備えたＡＰＳフィルムにのみ適用することができ、磁気記録層を持たない１３５フィルムには、適用することができないという欠点がある。この結果、１３５フィルムから読み取った画像については、画像が撮影順に書き込まれていない場合、画像の順番を示すコマ番号をユーザが１コマずつ手作業で書き換える必要があった。
【０００７】
また、１枚のＣＤ−Ｒに複数のフィルムから読み取った画像が記録されている場合には、フィルム単位でコマ番号の書き換えを行わなければならないが、どの範囲が１本のフィルムから読み取った画像の範囲であるかの判断がつきにくいという欠点があった。
【０００８】
本発明は、このような事情に鑑みてなされたもので、フイルムから読み取った画像ファイルの管理が容易な画像管理プログラムを提供することを目的とする。
【課題を解決するための手段】
【０００９】
請求項１に係る発明は、前記目的を達成するために、フィルムから読み取った順にコマの順番を示すコマ番号が付されるとともに、読み取ったフィルムを識別するフィルムＩＤの情報が付加された画像ファイルを管理する画像管理プログラムであって、管理対象とする画像ファイルが格納されたフォルダの指定を受け付ける機能と、指定されたフォルダに格納されている画像ファイルのグループ分けの指示を受け付ける機能と、画像ファイルに付加されているフィルムＩＤの情報に基づき指定されたフォルダに格納されている画像ファイルを同じフイルムＩＤの情報を有するグループごとに分類する機能と、指定されたフォルダに格納されている画像ファイルを分類されたグループごとに区別してコマ番号順に表示出力する機能と、をコンピュータに実現させることを特徴とする画像管理プログラムを提供する。
【００１０】
本発明によれば、フォルダを指定し、グループ分けの指示を行うと、そのフォルダに格納されている各画像ファイルに付されたフィルムＩＤの情報に基づき同じフイルムＩＤの情報を有するグループごとに分類される。そして、その分類されたグループごとに画像ファイルがコマ番号順に表示出力される。これにより、同じフィルムから読み取った画像ファイルの区別が明確になる。
【００１１】
また、請求項２に係る発明は、前記目的を達成するために、前記画像ファイルには、コマ番号が撮影順に付されている場合、コマ順確定情報が付加され、該コマ順確定情報の有無に応じて、コマ番号が撮影順に付されているグループの画像ファイルと、コマ番号が撮影順に付されていないグループの画像ファイルとを区別して表示出力する機能をコンピュータに実現させることを特徴とする請求項１に記載の画像管理プログラムを提供する。
【００１２】
本発明によれば、画像ファイルに付加されたコマ順確定情報の有無に応じて、コマ番号が撮影順に付されているグループの画像ファイルと、コマ番号が撮影順に付されていないグループの画像ファイルとが区別して表示出力される。これにより、コマ順が確定しているグループとコマ順が確定していないグループとの区別が明確になる。
【００１３】
また、請求項３に係る発明は、前記目的を達成するために、処理対象とする画像ファイルの属するグループの指定を受ける機能と、指定されたグループに属する画像ファイルのコマ番号の書き換えの指示を受け付ける機能と、指定されたグループに属する画像ファイルのコマの順番が逆になるようにコマ番号を書き換える機能と、をコンピュータに実現させることを特徴とする請求項１又は２に記載の画像管理プログラムを提供する。
【００１４】
本発明によれば、分類されたグループを指定し、コマ番号の書き換えの指示を行うと、指定されたグループに属する画像ファイルのコマの順番が逆になるようにコマ番号が書き換えられる。これにより、コマ番号が撮影順に付されていない場合のコマ番号の書き換え処理をフィルム単位で簡単に行うことができる。
【００１５】
また、請求項４に係る発明は、前記目的を達成するために、指定されたグループに属する画像ファイルに対して指定された撮影日時の情報を付加する機能を前記コンピュータに実現させることを特徴とする請求項１、２又は３に記載の画像管理プログラムを提供する。
【００１６】
本発明によれば、指定されたグループに属する画像ファイルに対して指定された撮影日時の情報を一括して付加することができる。
【００１７】
また、請求項５に係る発明は、前記目的を達成するために、コマ番号の順に指定された差分だけずらして撮影日時の情報を付加する機能を前記コンピュータに実現させることを特徴とする請求項４に記載の画像管理プログラムを提供する。
【００１８】
本発明によれば、指定されたグループに属する画像ファイルに対してコマ番号の順に指定された差分だけずらして撮影日時の情報を一括して付加することができる。
【発明の効果】
【００１９】
本発明に係る画像管理プログラムによれば、フイルムから読み取った画像ファイルを簡単に管理することができる。
【発明を実施するための最良の形態】
【００２０】
以下、添付図面に従って本発明に係る画像管理プログラムを実施するための最良の形態について説明する。
【００２１】
本発明に係る画像管理プログラムは、フィルムから読み取った画像ファイルを管理する。この画像ファイルには、フィルムから読み取った順にコマの順番を示すコマ番号が付されるとともに、読み取ったフィルムを識別するフィルムＩＤの情報が付加される。まず、この画像ファイルを生成するフィルムデジタイズ装置の構成について説明する。
【００２２】
図１はフイルムデジタイズ装置の電気的構成を示すブロック図である。同図に示すように、フイルムデジタイズ装置１０は、フイルムスキャナ１２、スキャナ用メモリ１４、システムコントローラ１６、操作部１８、画像処理部２０、ハードディスクドライブ（ＨＤＤ）２２、ＣＤ−Ｒドライブ２４等で構成されている。
【００２３】
フイルムスキャナ１２は、セットされた現像処理済みフイルムから撮影画像を読み取り、読み取った撮影画像をデジタルの画像信号としてスキャナ用メモリ１４に出力する。このフイルムスキャナ１２は、ＡＰＳフイルム、１３５フイルム、ブローニーフイルム等、各タイプのフイルムから撮影画像の読み取りができるようにされている。
【００２４】
なお、ＡＰＳフイルムの場合は、フイルムカートリッジに収納された状態でセットされて、撮影画像の読み取りが行なわれる。一方、１３５フイルムの場合は、フイルムカートリッジから引き出したフイルムロールの形で、あるいはフイルムロールを複数に分断したピースの形でセットされて、撮影画像の読み取りが行なわれる。ブローニーフイルムの場合もフイルムロールの形で、あるいはフイルムロールを複数に分断したピースの形でセットされて、撮影画像の読み取りが行なわれる。
【００２５】
また、このフイルムスキャナ１２は、ＡＰＳフイルムの磁気記録層に記録された磁気記録情報を読み取る磁気記録情報読取装置２６を備えている。この磁気記録情報には、フイルムの撮影方向を示すワインド情報が含まれており、読み取られた磁気記録情報は、システムコントローラ１６に出力される。
【００２６】
システムコントローラ１６は、ＣＰＵ、ＲＯＭ、ＲＡＭ等からなり、操作部１８からの指示に基づき、所定のプログラムに従ってフイルムデジタイズ装置全体の動作を統括制御する。
【００２７】
フイルムスキャナ１２から出力されたデジタルの画像信号は、一旦、スキャナ用メモリ１４に取り込まれたのち、画像処理部２０に加えられる。画像処理部２０は、システムコントローラ１６からのコマンドに従って入力された画像信号に所要の信号処理を施し、画像データを生成する。
【００２８】
画像処理部２０で生成された画像データは、システムコントローラ１６によって所定フォーマット（たとえば、Ｅｘｉｆ形式）に従った画像ファイルとされたのち、所定のファイル名が付与されてＨＤＤ２２に格納される。そして、このＨＤＤ２２に格納された画像ファイルが、システムコントローラ１６からのコマンドに従ってＣＤ−Ｒドライブ２４に送られ、ＣＤ−Ｒドライブ２４によってＣＤ−Ｒに書き込まれる。
【００２９】
図２は、上記フイルムデジタイズ装置１０によるフイルムデジタイズ処理の手順を示すフローチャートである。
【００３０】
まず、処理対象のフイルムが、フイルムスキャナ１２にセットされると、システムコントローラ１６は、フイルムの撮影方向が判定可能か否かを判断する（ステップＳ１０）。この判断は、磁気記録情報読取装置２６で読み取られた磁気記録情報に基づいて判断される。したがって、フイルムの撮影方向を判定できるのは、ＡＰＳフイルムの場合だけであり、ＡＰＳフイルム以外のフイルムについては、撮影方向判定不能と判断される。また、ＡＰＳフイルムであっても磁気記録情報にワインド情報が含まれていない場合には、撮影方向判定不能と判断される。
【００３１】
そして、撮影方向判定可能と判断した場合、システムコントローラ１６は、セットされたフイルムに記録されている撮影画像を撮影順にデジタイズする（ステップＳ１１）。すなわち、フイルムスキャナ１２に対して撮影順に撮影画像を読み取らせ、読み取った順に画像処理部２０で画像データを生成させる。
【００３２】
生成された画像データは、システムコントローラ１６にて所定フォーマット（ここでは、Ｅｘｉｆ）の画像ファイルとされたのち、ＨＤＤ２２に格納されるが、この際、システムコントローラ１６は、読み取った順に画像ファイルにコマ番号を付してＨＤＤ２２に格納する。このコマ番号はファイル名の一部として付加される。
【００３３】
たとえば、１番目に読み取った画像の画像ファイルには、ファイル名として「ＤＳＣＦ０００１」というファイル名が付与される。この場合、先頭のアルファベット四文字を除く数字部分、すなわち「０００１」がコマ番号となる。また、２番目に読み取った画像の画像ファイルには、ファイル名として「ＤＳＣＦ０００２」というファイル名が付与され、この場合、コマ番号は「０００２」となる。
【００３４】
また、システムコントローラ１６は、各画像ファイルにフイルムＩＤの情報とコマ順確定の有無の情報を付加してＨＤＤ２２に格納する（ステップＳ１２）。
【００３５】
フイルムＩＤの情報とは、同じフイルムから読み取った画像ファイルを識別する情報であり、たとえば「ＦＩＬＭ０００１」等の情報が、同じフイルムから読み取られた画像ファイルに付加される。このフイルムＩＤは、フイルムスキャナ１２へのフイルムのセット時にオペレータが操作部１８から入力する。あるいは、フイルムセット時にシステムコントローラ１６から自動で付与される。
【００３６】
また、コマ順確定の有無の情報とは、画像ファイルが、撮影順にコマ番号が付されて記録されているか否かを示す情報であり、画像ファイルが、撮影順にコマ番号が付されて記録されているものに対しては「コマ順確定＝ＹＥＳ」の情報が付加される、一方、画像ファイルが、撮影順にコマ番号が付されて記録されているか否か不明なものに対しては「コマ順確定＝ＮＯ」の情報が付加される。
【００３７】
上記ステップ１０で、撮影方向判定可能と判断された場合は、撮影順に画像が読み取られるので、「コマ順確定＝ＹＥＳ」の情報が付加される。
【００３８】
なお、このフイルムＩＤの情報とコマ順確定の有無の情報は、たとえばＥｉｘｆファイルの付属情報に記録される。
【００３９】
Ｅｘｉｆファイルは、図３に示すように、付属情報を画像ファイルのヘッダ部にタグ形式で記録することができるようにされている。付属情報タグには、図４に示すように、バージョンに関する情報や画像データの特性に関する情報、構造に関する情報、ユーザー情報、関連ファイル情報、日時に関する情報、撮影条件に関する情報、ＩＦＤへのポインタに関する情報等の撮影した画像に関する撮影データがタグ形式で記録される。
【００４０】
ここで、ユーザー情報に関するタグであるメーカーノートには、メーカーが個別の情報を記入することができるようにされており、また、ユーザーコメントには、ユーザーがキーワードやコメントを書き込むことができるようにされている。本実施の形態のフイルムデジタイズ装置１０では、このＥｉｘｆファイルにおける、ユーザーコメントのエリアにフイルムＩＤの情報とコマ順確定ＹＥＳ／ＮＯの情報が書き込まれる。
【００４１】
このように、上記ステップ１０で撮影方向判定可能と判断されると、撮影順に画像が読み取られ、読み取られた順に画像ファイルにコマ番号が付加されてＨＤＤ２２に格納される。
【００４２】
一方、上記ステップ１０で撮影方向判定不能と判断すると、システムコントローラ１６は、セットされたフイルムに記録されている撮影画像をコマ順、すなわち先頭コマから順にデジタイズし（ステップＳ１３）、読み取った順に画像ファイルにコマ番号を付して、ＨＤＤ２２に格納する。この際、読み取った各画像ファイルにフイルムＩＤの情報とコマ順確定＝ＮＯの情報を付加して、ＨＤＤ２２に格納する（ステップＳ１４）。
【００４３】
このように、フイルムデジタイズ装置１０は、撮影方向を判定できる場合は、撮影順に画像をデジタイズし、撮影方向の判定ができない場合は、先頭コマから順に画像をデジタイズする。そして、読み取った順にコマ番号を付して画像ファイルをＨＤＤ２２に格納する。また、撮影順に画像を読み取った場合には、各画像ファイルにコマ順確定＝ＹＥＳの情報を付加し、単に先頭コマから順に画像を読み取った場合には、各画像ファイルにコマ順確定＝ＮＯの情報を付加してＨＤＤ２２に記録する。さらに、同じフイルムから読み取った画像ファイルについては、同じフイルムＩＤの情報を付加して、ＨＤＤ２２に記録する。
【００４４】
そして、あらかじめ予定された本数のフィルムから画像の読み取りが終了すると、システムコントローラ１６は、ＣＤ−Ｒドライブ２４にコマンドを出力し、ＨＤＤ２２に格納されている画像ファイルをＣＤ−Ｒに記録させる（ステップＳ１５）。
【００４５】
以上一連の工程でフイルムに記録されている画像がデジタル化され、画像ファイルとしてＣＤ−Ｒに記録される。
【００４６】
このように、フィルムデジタイズ装置１０は、フィルムからワインド情報を読み取れる場合は、そのワインド情報に従って画像を撮影順に読み取り、ワインド情報を読み取れない場合は、先頭コマから順に画像を読み取って、ＣＤ−Ｒに記録する。この際、読み取った画像ファイルには、読み取った順にコマ番号が付されるとともに、同じフィルムから読み取った画像ファイルには、同じフィルムから読み取った画像であることを識別するためのフィルムＩＤの情報が付加されて、ＣＤ−Ｒに記録される。また、撮影順に読み取られてコマ番号が付されている場合には、コマ順確定＝ＹＥＳの情報が付加されるとともに、撮影順に読み取られてコマ番号が付されているか不明の場合には、コマ順確定＝ＮＯの情報が付加されて、ＣＤ−Ｒに記録される（図５参照）。
【００４７】
次に、上記のフイルムデジタイズ装置１０によってフイルムから読み取った画像ファイルを管理する画像管理プログラムについて説明する。
【００４８】
図６は、本実施の形態の画像管理プログラムを実行させるコンピュータ（パーソナルコンピュータ）のハードウェア構成例を示すブロック図である。
【００４９】
パーソナルコンピュータ５０は、一般的に用いられているタイプのコンピュータであり、本実施の形態の画像分類プログラムを実行するための中央処理装置（ＣＰＵ）５２、ＣＰＵ５２における演算結果や画像データ等を一時的に格納するためのＲＡＭ５４、オペレーティングシステム（ＯＳ）や本発明に係る画像分類プログラム、各種アプリケーションプログラム、画像ファイル等を格納するためのハードディスクドライブ（ＨＤＤ）５６、ＣＤ−ＲＯＭに格納されたデータを読み取るためのＣＤ−ＲＯＭドライブ５８、ＣＰＵ５２における演算結果や画像データ等を表示するための表示装置６０、コマンド、数値等を入力するためのキーボード、マウスといった入力装置６２等を備えており、これらは相互にバス６４で接続されている。
【００５０】
フイルムデジタイズ装置１０によってフイルムから読み取られ、ＣＤ−Ｒに書き込まれた画像ファイルは、ＣＤ−ＲＯＭドライブ５８から読み出されて、ＨＤＤ５６の記憶領域に作成された所定のフォルダに格納される。
【００５１】
本実施の形態の画像管理プログラムは、上記パーソナルコンピュータ５０のＨＤＤ５６にインストールされ、ＨＤＤ５６からＲＡＭ５４にロードされて、ＣＰＵ５２による実行制御がなされる。なお、プログラムは、ＣＤ−ＲＯＭ等に格納したものをＣＤ−ＲＯＭドライブ５８等で読み取って実行してもよいし、また、ネットワークからダウンロードして実行するようにしてもよい。
【００５２】
本実施の形態の画像管理プログラムは、画像ファイルを管理する機能と画像ファイルを閲覧する機能を備えている。
【００５３】
図７は、本実施の形態の画像管理プログラムのメインウインドウであり、プログラムを起動すると、同図に示すメインウインドウが表示装置６０に表示される。
【００５４】
メインウインドウは、画面左側に表示されるフォルダツリー表示領域と、画面右側に表示されるサムネイル表示領域とからなる。
【００５５】
フォルダツリー表示領域には、パーソナルコンピュータ５０にあるフォルダが階層的に表示される。このフォルダツリー表示領域に表示されたフォルダを選択すると（対象フォルダをポインタで指し、シングルクリックすると）、選択されたフォルダに格納されている画像ファイルのサムネイル画像が、サムネイル表示領域にファイル名順（画像ファイルにあっては、ファイル名に含まれるコマ番号順）で一覧表示される。
【００５６】
なお、選択したフォルダ内に画像ファイルが存在しない場合は、サムネイル表示領域には何も表示されず、選択したフォルダ内に更にフォルダが存在する場合には、サムネイル表示領域にフォルダのアイコンが一覧表示される。
【００５７】
サムネイル表示領域にサムネイル形式で一覧表示された画像ファイルの中から任意の画像ファイルを選択すると（対象ファイルをポインタで指し、ダブルクリックすると）、選択された画像ファイルが別ウインドウで拡大表示される。
【００５８】
また、スライドショーの機能を実行させると、選択されたフォルダに格納されている画像ファイルが一定間隔でコマ送りされて自動再生される。
【００５９】
さて、本実施の形態の画像管理プログラムでは、特定のフォルダに格納された画像ファイルに対して同じフイルムから読み取った画像ファイルごとにグループ分けする機能、グループ分けされた画像ファイルのファイル名（コマ番号）をグループ単位で一括変換する機能、グループ分けされた各画像ファイルに撮影日時の情報をグループ単位で一括して書き込む機能等を備えている。
【００６０】
まず、同じフイルムから読み取った画像ファイルごとにグループ分けする機能（グルーピング機能）について説明する。
【００６１】
図８は、同じフイルムから読み取った画像ファイルごとにグループ分けする処理の手順を示すフローチャートである。
【００６２】
まず、ユーザは、グループ分けしようとする画像ファイル群が格納されたフォルダを選択する（ステップＳ２０）。フォルダの選択は、本実施の形態では、フォルダツリー表示領域上で行なわれる。すなわち、フォルダツリー表示領域に一覧表示されたフォルダの中から分類対象とするフォルダをマウスポインタで選択（シングルクリック）することにより行なわれる。分類対象とするフォルダが、マウスポインタで選択されると、ＣＰＵ５２は、選択されたフォルダに格納されている画像ファイルのサムネイル画像をコマ番号順（ファイル名に含まれるコマ番号順）にサムネイル表示領域に一覧表示させる。なお、図７は、「ＦｏｌｄｅｒＤ」が選択された状態が示されている。
【００６３】
次に、ユーザは、選択したフォルダに格納されている画像ファイルをグループ分けする機能（グルーピング機能）を呼び出す。このグルーピング機能の呼び出しは、本実施の形態では、図９に示すように、ツールバーに表示されたメニューの中から「編集」を選択し、その「編集」のメニューの中から「グルーピング」を選択することにより行なわれる。ＣＰＵ５２は、この「グルーピング」の機能が呼び出されたか否か判定する（ステップＳ２１）。
【００６４】
「グルーピング」の機能が呼び出されたと判定すると、ＣＰＵ５２は、処理対象のフォルダに格納されている各画像ファイルからフィルムＩＤの情報を読み出し、図１０に示すように、同じフィルムＩＤの情報を有するグループごとに画像ファイルを分類する（ステップＳ２２）。
【００６５】
そして、図１１に示すように、分類したグループごとにサムネイル画像を枠で囲んで表示装置６０に表示する（ステップＳ２３）。
【００６６】
このように、グルーピング機能を実行すると、選択したフォルダに格納されている画像ファイルに対して、同じフイルムＩＤを有する画像ファイルごと、すなわち、同じフイルムから読み取った画像ファイルごとにグループ分けされて表示される。
【００６７】
これにより、同じフィルムから読み取った画像の範囲が一目で把握でき、フィルム単位での画像ファイルの取り扱いが容易になる。
【００６８】
なお、画像ファイルからコマ順確定の情報が読み取れる場合、コマ順が確定しているグループ（撮影した順にコマ番号が付されているグループ）と、コマ順が確定していないグループ（撮影した順にコマ番号が付されているか否か不明のグループ）とが、区別できるように表示することが好ましい。
【００６９】
たとえば、図１２に示すように、コマ順が確定しているグループは、枠内の背景色を無色とする一方、コマ順が確定していないグループは、枠内の背景色を有色にする。
【００７０】
また、別の方法として、コマ順が確定しているグループの枠の色と、コマ順が確定していないグループの枠の色を異なる色にする。たとえば、コマ順が確定しているグループの枠の色を黒、コマ順が確定していないグループの枠の色を赤にする。
【００７１】
このようにコマ順が確定しているグループとコマ順が確定していないグループとを区別して表示することにより、ファイル名の書き換えを要するグループと要さないグループを一目で把握することができる。
【００７２】
なお、この場合の処理としては、上記ステップＳ２２において、処理対象のフォルダに格納されている各画像ファイルからフィルムＩＤの情報を読み出すとともに、コマ順確定の情報（コマ順確定＝ＹＥＳ／ＮＯ）を読み出し、同じフィルムＩＤの情報を有するグループごとに画像ファイルを分類する。そして、分類したグループごとに、コマ順確定の有無を区別した枠を表示装置６０に表示する。
【００７３】
次に、グループ分けされた画像ファイルのファイル名（コマ番号）をグループ単位で一括変換する機能について説明する。
【００７４】
ファイル名一括変換の機能は、ファイル名に付加されているコマ番号の順番を一括して逆転させる機能であり、撮影順にコマ番号が付加されていない場合に利用される。このファイル名一括変換の処理は、上記のグルーピング機能でグループ分けされたグループ単位で実施される。
【００７５】
図１３は、ファイル名一括変換の処理の手順を示すフローチャートである。
【００７６】
まず、上述したグルーピング処理を実施し（ステップＳ３０）、画像ファイルをフィルム単位でグループ分けする。
【００７７】
次に、処理対象とするグループを選択する（ステップＳ３１）。グループの選択は、たとえば、１グループの範囲を示す枠をマウスポインタでシングルクリックすることにより行われる。
【００７８】
この後、ファイル名一括変換の機能を呼び出し、処理を実行すると、選択したグループに属する画像ファイルに対してファイル名の一括変換の処理が実施される。
【００７９】
ここで、ファイル名一括変換の機能の呼び出しは、本実施の形態では、ツールバーに表示されたメニューの中から「編集」を選択し、その「編集」のメニューの中から「ファイル名一括変換」を選択することにより行なわれる（図９参照）。
【００８０】
ＣＰＵ５２は、グループの選択後（ステップＳ３１）、この「ファイル名一括変換」の機能が呼び出されたか否か判定する（ステップＳ３２）。そして、「ファイル名一括変換」の機能が呼び出されたことを検出すると、選択されたグループ内の画像ファイルのファイル名を一括変換する（ステップＳ３３）。すなわち、グループ内のコマの順番が逆になるように、各画像ファイルのファイル名に含まれているコマ番号を書き換える。
【００８１】
たとえば、グルーピングの結果、「ＤＳＣＦ００３６．ＪＰＧ」〜「ＤＳＣＦ００６９．ＪＰＧ」の画像ファイルが、同じフイルムから読み取られた画像ファイル（同じフイルムＩＤの画像ファイル）としてグループ分けされたと仮定し、このグループに対してファイル名の一括変換処理を実施すると、図１４に示すように、元「ＤＳＣＦ００３６．ＪＰＧ」というファイル名の画像ファイル（００１）のファイル名が、「ＤＳＣＦ００６９．ＪＰＧ」というファイル名に変換される。一方、元「ＤＳＣＦ００６９．ＪＰＧ」というファイル名の画像ファイル（０３３）のファイル名は、「ＤＳＣＦ００３６．ＪＰＧ」というファイル名に変換される。同様に元「ＤＳＣＦ００３７．ＪＰＧ」というファイル名の画像ファイル（００２）のファイル名は「ＤＳＣＦ００６８．ＪＰＧ」というファイル名に変換され、元「ＤＳＣＦ００６８．ＪＰＧ」というファイル名の画像ファイル（０３２）のファイル名は、「ＤＳＣＦ００３７．ＪＰＧ」というファイル名に変換される。
【００８２】
このように、ファイル名一括変換の処理を実行すると、選択されたグループ内の画像ファイルのファイル名に含まれるコマ番号の部分が逆順に書き換えられる。
【００８３】
この結果、撮影した順にコマ番号が振りなおされ、図１５に示すように、サムネイル表示領域にサムネイル画像を一覧表示させた際、撮影順に画像が表示される（コマ番号順に表示させた場合）。
【００８４】
なお、このファイル名一括変換処理によりコマ順が確定するので、抽出した各画像ファイルにコマ順確定＝ＹＥＳの情報を付加するようにしてもよい。
【００８５】
次に、グループ分けした画像ファイルに対してグループごとに一括して撮影日時の情報を付加する機能に（撮影日時編集機能）ついて説明する。
【００８６】
撮影日時編集機能は、上記のファイル名一括変換の機能と同様にグルーピング機能でグループ分けされた画像ファイルに対してグループ単位で実施される。
【００８７】
図１６は、撮影日時編集処理の手順を示すフローチャートである。
【００８８】
まず、上述したグルーピング処理を実施し（ステップＳ４０）、画像ファイルをフィルム単位でグループ分けする。
【００８９】
次に、処理対象とするグループを選択する（ステップＳ４１）。グループの選択は、たとえば、１グループの範囲を示す枠をマウスポインタでシングルクリックすることにより行われる。
【００９０】
この後、撮影日時編集の機能を呼び出し、処理を実行すると、選択したグループに属する画像ファイルに対して撮影日時の編集処理が実施される。
【００９１】
ここで、撮影日時編集の機能の呼び出しは、本実施の形態では、ツールバーに表示されたメニューの中から「編集」を選択し、その「編集」のメニューの中から「撮影日時編集」を選択することにより行なわれる（図９参照）。ＣＰＵ５２は、この「撮影日時編集」の機能が呼び出されたか否か判定する（ステップＳ４２）。そして、「撮影日時編集」の機能が呼び出されたことを検出すると、以下の撮影日時編集処理を実行する。
【００９２】
撮影日時編集処理は、画像ファイルに撮影日時の情報を付加する機能であるので、付加する撮影日時を入力する必要がある。このため、「撮影日時編集」の機能が呼び出されると、ＣＰＵ５２は、図１７に示すように、撮影日時を入力するためのダイアログボックスを表示装置６０にポップアップ表示させる。
【００９３】
ユーザは、このポップアップ表示されたダイアログボックスに形成された撮影日時入力欄に画像ファイルに付加する撮影日時を入力し（ステップＳ４３）、処理の実行を指示する（「ＯＫ］ボタンをクリックする）。
【００９４】
処理実行が指示されると、ＣＰＵ５２は、入力された撮影日時の情報を選択されたグループに属する画像ファイルに一括して付加する（ステップＳ４４）。この撮影日時の情報は、たとえばＥｉｘｆファイルの付属情報に記録される。すなわち、図４に示すように、Ｅｉｘｆファイルには、付属情報として日時に関するタグを記録できるようにされており、この日時に関するタグにおける原画像データの生成日時に記録される。
【００９５】
このように、撮影日時の編集処理を実行することにより、フイルムから読み取った画像ファイルに対して実際に撮影した日時の情報を付加することができる。
【００９６】
なお、上記の処理では、抽出した画像ファイルの撮影日時が、すべて同じになってしまうが、次のような処理を行なうことにより、画像ファイル間で時間的な前後の区別をつけることができる。
【００９７】
すなわち、撮影日時の情報を付加する際、各画像ファイルに対してコマ番号順に一定差分を設けて撮影日時の情報を付加する。たとえば、画像ファイルに付加する撮影日時を２００４年１月１日００時００分００秒とし、差分を１０分とした場合、先頭コマ番号の画像ファイルに対して「２００４年１月１日００時００分００秒」という撮影日時の情報を付加し、次のコマ番号の画像ファイルには、「２００４年１月１日００時１０分００秒」、その次のコマ番号の画像ファイルには、「２００４年１月１日００時２０分００秒」というように、設定した差分だけずらして各画像ファイルに撮影日時の情報を付加する。
【００９８】
以下、この差分を設けて撮影日時を追加する場合の処理の手順について説明する。なお、ここでは各画像ファイルに同じ撮影日時の情報を付加する処理と、差分を設けて撮影日時の情報を付加する処理とを選択できる場合について説明する。
【００９９】
図１８は、画像ファイルに同じ撮影日時の情報を付加する処理と差分を設けて付加する処理とを選択して実施する場合の処理の手順を示すフローチャートである。
【０１００】
まず、グルーピング処理を実施し（ステップＳ５０）、画像ファイルをフィルム単位でグループ分けして、処理対象とするグループを選択する（ステップＳ５１）。この後、撮影日時編集の機能が呼び出されて、処理が実行されると、選択したグループに属する画像ファイルに対して撮影日時の編集処理が行われる。ＣＰＵ５２は、この「撮影日時編集」の機能が呼び出されたか否かを判定する（ステップＳ５２）。そして、「撮影日時編集」の機能が呼び出されたと判定すると、以下における撮影日時の編集処理を実行する。
【０１０１】
まず、ＣＰＵ５２は、図１９に示すように、撮影日時及び差分を入力するためのダイアログボックスを表示装置６０にポップアップ表示させる。ユーザは、このポップアップ表示されたダイアログボックスに形成された入力欄に所要の撮影日時の編集情報を入力する（ステップＳ５３）。
【０１０２】
ここで、このダイアログボックスには、撮影日時の情報を入力する欄と差分の情報を入力する欄が設けられており、また、差分の情報を入力する欄の前には、チェックボックスが設けられている。ユーザは、各画像ファイルに付加する撮影日時に差分を設ける場合には、この差分の情報を入力する欄の前に設けられたチェックボックスにチェックを入れ、差分の情報を入力する。
【０１０３】
所要の撮影日時の編集情報が入力され、処理の実行が指示されると（「ＯＫ］ボタンのクリック）、ＣＰＵ５２は、差分の設定がされているか否かを判定する（ステップＳ５４）。そして、差分の設定がされていない場合は、入力された撮影日時の情報を選択されたグループの各画像ファイルに対して一括して付加する（ステップＳ５５）。
【０１０４】
一方、差分の設定が行なわれている場合は、選択されたグループに属する画像ファイルに対して各コマごとに設定された差分を設けて撮影日時の情報を付加する。すなわち、先頭コマ番号の画像ファイルに対して入力された撮影日時の情報を付加し、以下、入力された差分を加えた日時を撮影日時として、コマ番号順に各画像ファイルに撮影日時の情報を付加する（ステップＳ５６）。
【０１０５】
たとえば、第２グループの画像ファイル（「ＤＳＣＦ００３６．ＪＰＧ」〜「ＤＳＣＦ００６９．ＪＰＧ」）に対して、撮影日時を「２００４年０１月０１日００時００分００秒」に設定し、差分を「００時１０分００秒」に設定した場合には、図２０に示すように、先頭コマの画像ファイル「ＤＳＣＦ００３６．ＪＰＧ」には、「２００４年０１月０１日００時００分００秒」という撮影日時が付加され、次のコマである画像ファイル「ＤＳＣＦ００３７．ＪＰＧ」には「２００４年０１月０１日００時１０分００秒」、その次のコマである画像ファイル「ＤＳＣＦ００３８．ＪＰＧ」には「２００４年０１月０１日００時２０分００秒」というように、１０分後ごとの差分が設けられた撮影日時が、選択されたグループの各画像ファイルにコマ番号順に付加される。
【０１０６】
このように、差分を設けて画像ファイルに撮影日時の情報を付加することにより、画像を撮影日時順に並べた際、撮影した順に並べることができる。
【０１０７】
なお、差分はコマ番号順に付けられるので、差分を設けて画像ファイルに撮影日時の情報を付加する場合、画像ファイルに対して撮影順にコマ番号が付加されていることが前提となる。
【０１０８】
ところで、上述したフイルムデジタイズ装置１０では、フイルムにワインド情報が付されている場合、このワインド情報を読み取って、撮影順に画像を読み取ることができ、読み取った順にコマ番号を付して画像ファイルをＣＤ−ＲＯＭに記録することができる。そして、このように撮影順に画像を読み取った場合には、コマ順確定ＹＥＳの情報が画像ファイルに付される。
【０１０９】
そこで、この画像ファイルに付されたコマ順確定ＹＥＳの情報の有無を利用することにより、差分を設けて画像ファイルに撮影日時の情報を付加する場合、処理対象となる画像ファイル群にコマ番号が撮影順に付加されているか否か判断することができる。そして、この判断の結果、撮影順にコマ番号が付されていれば、コマ番号順に差分を設けて画像ファイルに撮影日時の情報を付加することができる。一方、撮影順にコマ番号が付されているか不明であれば、画像ファイルにコマ番号が撮影順に付されているか否か、ユーザに確認を促すことができる。
【０１１０】
以下、このコマ順確定ＹＥＳの情報を利用した画像ファイルの撮影日時の編集処理の手順について説明する。
【０１１１】
図２１は、コマ順確定ＹＥＳの情報を利用した画像ファイルの撮影日時の編集処理の手順を示すフローチャートである。
【０１１２】
なお、抽出した一連の画像ファイル群に対して同じ撮影日時の情報を付加する場合の処理（ステップＳ５０〜Ｓ５５）は、上記と同様なので、ここでは各画像ファイルに差分を設けて撮影日時の情報を付加する場合（差分が設定されている場合）の処理（ステップＳ６０〜Ｓ６１）についてのみ説明する。
【０１１３】
ステップＳ５４において、差分設定が行なわれたと判定すると、ＣＰＵ５２は、選択されたグループに属する画像ファイルにコマ順確定＝ＹＥＳの情報が付加されているか否かを判定する（ステップＳ６０）。
【０１１４】
ここで、選択されたグループに属する画像ファイルにコマ順確定＝ＹＥＳの情報が付加されている場合、ＣＰＵ５２は、選択されたグループに属する画像ファイル画像ファイルに対して各コマごとに設定された差分を設けてコマ番号順に撮影日時の情報を付加する（ステップＳ６１）。
【０１１５】
一方、選択されたグループに属する画像ファイルにコマ順確定＝ＹＥＳの情報が付加されていない場合、すなわち、コマ順確定＝ＮＯの場合、あるいはコマ順確定情報がない場合、ＣＰＵ５２は、図２２に示すように、処理を強制的に実行するか否かを問い合わせるメッセージ（「コマ順が確定していません  処理を実行しますか？」）が表示されたダイアログボックスを表示装置６０にポップアップ表示させる。
【０１１６】
ユーザは、このダイアログボックスに表示されたメッセージに従って処理を強制的に実行するか否か判断する。そして、処理を実行する場合は「実行」のボタンをクリックし、処理を止める場合は「終了」のボタンをクリックする。
【０１１７】
ＣＰＵ５２は、この入力指示に応じて処理を実行するか否か判定する（ステップＳ６２）。そして、処理実行が指示されたと判定した場合は、選択されたグループに属する画像ファイルに対して各コマごとに設定された差分を設けてコマ番号順に撮影日時の情報を付加する（ステップＳ６１）。
【０１１８】
一方、処理終了が指示されたと判定した場合は、撮影日時編集の処理を中止する。この場合、必要に応じて上述したファイル名変換処理を実行する。
【０１１９】
このように、画像ファイルに付されたコマ順確定＝ＹＥＳの情報の有無を利用することにより、誤った順番で撮影日時の情報が画像ファイルに付加されるのを未然に防ぐことができる。
【０１２０】
なお、差分を設けて撮影日時の情報を付加する場合は、常に処理を強制実行するか否か問い合わせるようにしてもよい。この場合、コマ順確定＝ＹＥＳの情報の有無は不要となる。このように、コマ順確定＝ＹＥＳ／ＮＯの情報は必ずしも必要なものではなく、フイルムデジタイズ装置１０においても、必ずしも読み取った画像ファイルに付加する必要はない。
【０１２１】
なお、本実施の形態では、画像ファイルのファイル名の一部にコマ番号を組み込むことで画像ファイルにコマ番号を付しているが、画像ファイルのメタデータにコマ番号を記録して、コマ番号を付加するようにしてもよい。
【０１２２】
また、本実施の形態では、グルーピング機能でグループ分けした画像ファイルに対して、ファイル名を一括変換する場合、撮影日時を付加する場合の処理について説明したが、グループ分けした画像ファイルについては、グループ単位でコピー、切り取り、貼り付け、削除、フォルダへのコピー、フォルダへの移動等の処理を行うこともできる。
【０１２３】
さらに、本実施の形態では、グルーピング後のファイル名一括変換処理及び撮影日時編集処理の機能をメニューから呼び出して実行するようにしているが、これらの処理の実行を指示する方法は、これに限定されるものではない。たとえば、グループ分けした枠を特定のアイコンにドラッグすると、そのグループに属する画像ファイルに対してファイル名一括変換処理や撮影日時編集処理が実行されるようにしてもよい。
【０１２４】
また、本実施の形態で説明したフィルムデジタイズ装置では、フイルムから読み取った画像ファイルをＣＤ−Ｒに記録することとしているが、記憶メディアの種類は、これに限定されるものではなく、たとえばＤＶＤ−ＲやＭＯ等の記憶メディアに記録するようにしてもよい。また、ネットワークを通じて直接ユーザに提供するようにしてもよい。
【図面の簡単な説明】
【０１２５】
【図１】フイルムデジタイズ装置の電気的構成を示すブロック図
【図２】フイルムデジタイズ装置によるフイルムデジタイズ処理の手順を示すフローチャート
【図３】Ｅｘｉｆファイルの説明図
【図４】Ｅｘｉｆファイルに付加される付属情報の説明図
【図５】ＣＤ−Ｒに記録される画像ファイルの説明図
【図６】コンピュータのハードウェア構成例を示すブロック図
【図７】本実施の形態の画像管理プログラムのメインウインドウを示す図
【図８】グルーピングの処理手順を示すフローチャート
【図９】各種機能呼び出し時におけるメインウインドウの表示例を示す図
【図１０】グルーピングの概念図
【図１１】グルーピング後のメインウインドウの表示例を示す図
【図１２】グルーピング後のメインウインドウの他の表示例を示す図
【図１３】ファイル名一括変換の処理手順を示すフローチャート
【図１４】ファイル名一括変換処理の概念図
【図１５】ファイル名一括変換処理後のメインウインドウの表示例を示す図
【図１６】撮影日時編集の処理手順を示すフローチャート
【図１７】撮影日時編集処理時におけるメインウインドウの表示例を示す図
【図１８】撮影日時編集の他の処理手順を示すフローチャート
【図１９】他の撮影日時編集処理時におけるメインウインドウの表示例を示す図
【図２０】差分を設けて撮影日時を付加する処理の概念図
【図２１】撮影日時編集の他の処理手順を示すフローチャート
【図２２】他の撮影日時編集処理時におけるメインウインドウの表示例を示す図
【符号の説明】
【０１２６】
１０…フイルムデジタイズ装置、１２…フイルムスキャナ、１４…スキャナ用メモリ、１６…システムコントローラ、１８…操作部、２０…画像処理部、２２…ハードディスクドライブ（ＨＤＤ）、２４…ＣＤ−Ｒドライブ、５０…パーソナルコンピュータ、５２…中央処理装置（ＣＰＵ）、５４…ＲＡＭ、５６…ハードディスクドライブ（ＨＤＤ）、５８…ＣＤ−ＲＯＭドライブ、６０…表示装置、６２…入力装置
【図１】
2005332260.tif 000003
【図２】
2005332260.tif 000004
【図３】
2005332260.tif 000005
【図４】
2005332260.tif 000006
【図５】
2005332260.tif 000007
【図６】
2005332260.tif 000008
【図７】
2005332260.tif 000009
【図８】
2005332260.tif 000010
【図９】
2005332260.tif 000011
【図１０】
2005332260.tif 000012
【図１１】
2005332260.tif 000013
【図１２】
2005332260.tif 000014
【図１３】
2005332260.tif 000015
【図１４】
2005332260.tif 000016
【図１５】
2005332260.tif 000017
【図１６】
2005332260.tif 000018
【図１７】
2005332260.tif 000019
【図１８】
2005332260.tif 000020
【図１９】
2005332260.tif 000021
【図２０】
2005332260.tif 000022
【図２１】
2005332260.tif 000023
【図２２】
2005332260.tif 000024